(57)【要約】本願発明の課題は、無線端末からの無線品質の測定結果に基づき、アンテナチルト角の変更に伴う弱電エリアや不感地の発生を抑制しつつ、無線セルのカバレッジを最適化することを可能にすることである。本願発明は、無線基地局が管理する無線セルのアンテナパラメータを制御する発明であって、前記無線基地局と通信可能な無線端末が報告する無線品質又は無線通信状態に関する測定情報に基づいて、前記無線基地局のアンテナチルト角の変更後の前記無線基地局からの信号の受信信号強度の変化度合いを推定する推定手段と、前記推定した受信信号強度の変化度合いに基づいて、前記アンテナチルト角を制御する制御手段とを備える。
2014136739.tif 000002
【特許請求の範囲】
【請求項１】
無線基地局が管理する無線セルのアンテナパラメータを制御する無線通信システムであって、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、
前記推定した受信強度の変化度合いに基づいて、前記アンテナチルト角を制御する制御手段と
を備える無線通信システム。
【請求項２】
前記制御手段は、前記推定手段が推定した変化度合いに基づいて前記無線基地局のカバレッジ変化率を算出し、前記算出したカバレッジ変化率と所定のカバレッジ変化率とに基づいて、前記アンテナチルト角を制御するか否かを判定し、前記アンテナチルト角を制御すると判定した場合に、前記アンテナチルト角を制御する
請求項１記載の無線通信システム。
【請求項３】
前記制御手段は、前記カバレッジ変化率として、前記無線基地局からの信号の受信強度が所要品質未満となるエリア率、又は、通信不可能となるエリア率であるカバレッジ劣化率を算出し、前記算出したカバレッジ劣化率が所定のカバレッジ変化率未満の場合に、アンテナチルト角を変更する
請求項２記載の無線通信システム。
【請求項４】
前記推定手段は、前記変化度合いを、前記無線基地局のアンテナチルト角を変更した後のアンテナゲインの変化量と前記測定情報とに基づき推定する
請求項１から請求項３のいずれかに記載の無線通信システム。
【請求項５】
前記推定手段は、前記無線基地局のアンテナチルト角、アンテナ高、アンテナゲインパターン、及びセル端への見込み角の少なくとも一つを用いて、アンテナチルト角の変更に伴う受信強度の変化量又は最大変化量を推定する
請求項１から請求項４のいずれかに記載の無線通信システム。
【請求項６】
前記推定手段は、前記無線基地局の制御前のアンテナチルト角及び前記セル端への見込み角を用いて、前記アンテナゲインパターンに基づく前記セル端における制御前のアンテナゲイン量を推定し、前記無線基地局の制御後のアンテナチルト角及び前記セル端への見込み角を用いて、前記アンテナゲインパターンに基づく前記セル端における制御後のアンテナゲイン量を推定し、前記推定した制御前と制御後とのアンテナゲイン量を比較することで、受信強度の最大変化量であるセル端における受信強度の変化量を推定する
請求項５に記載の無線通信システム。
【請求項７】
前記推定手段は、前記無線基地局のアンテナチルト角を変更した場合の当該セルの信号の受信強度を前記受信強度の最大変化量に基づいて推定し、前記推定した受信強度が所要品質未満となる測定情報と、前記推定した受信強度が前記無線基地局に隣接する隣接無線基地局からの信号の受信強度の中で、最大の受信強度を下回る測定情報を抽出する
請求項５又は６記載の無線通信システム。
【請求項８】
無線基地局が管理する無線セルのアンテナパラメータを制御する制御装置であって、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、
前記推定した受信強度の変化度合いに基づいて、前記アンテナチルト角を制御する制御手段と
を備える制御装置。
【請求項９】
無線基地局が管理する無線セルのアンテナパラメータを制御する制御方法であって、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定ステップと、
前記推定した受信強度の変化度合いに基づいて、前記アンテナチルト角を制御する制御ステップと
を備える制御方法。
【請求項１０】
無線基地局が管理する無線セルのアンテナパラメータを制御する制御装置のプログラムであって、前記プログラムは、前記制御装置を、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、
前記推定した受信強度の変化度合いに基づいて、前記アンテナチルト角を制御する制御手段と
して機能させることを特徴とするプログラム。
【発明の詳細な説明】
【技術分野】
【０００１】
本発明は、無線通信システム、制御装置、制御方法及びプログラムに関する。
【背景技術】
【０００２】
一般に、セルラシステムのような無線通信システムにおいては、無線端末は敷設された各無線基地局が管理する無線セル内で通信する。ここで、無線端末が複数の無線セルを渡って移動する際に、通信を継続するためには、隣接する無線セルのカバレッジを部分的に重複させる必要がある。ここで、カバレッジとは、無線端末が通信を行うのに十分な無線品質が保たれているカバーエリアのことである。このカバレッジを調整する技術として、例えば各無線セルのアンテナチルト角を用いる方法が考えられる。しかしながら、一般に、アンテナチルト角を用いたカバレッジ調整には慎重を期す必要があり、誤った設定が為された場合には、大きな問題を引き起こす可能性がある。【０００３】
例えば、隣接する無線セル間でアンテナチルト角が大きすぎる（深すぎる）場合、カバレッジの重複するエリアが不十分となる場所が発生し、当該セル間を移動する無線端末のハンドオーバ品質が劣化するといった問題が生じる。又、当該セル間の境界付近を中心に、カバレッジが不十分のエリアが発生し、当該エリアに存在する無線端末の通信の切断が発生したり、通信品質が劣化したりする。このようなカバレッジが不十分なエリアを弱電エリアと呼び、特に通信の切断が発生するエリアを不感地と呼称する。【０００４】
一方で、隣接する無線セル間でアンテナチルト角が小さすぎる（浅すぎる）場合、カバレッジの重複するエリアが過剰となり、無線端末は、滞在中の無線セル以外の他の無線セルからの信号による干渉を強く受け、通信品質（例えばスループット）が劣化するという問題が生じる。【０００５】
従って、セルラシステムにおいては、このような弱電エリアや不感地を生まず、良好な通信品質が得られるように、各無線セルのアンテナチルト角を適切に設定する必要がある。【０００６】
地形の起伏や建築物がなく、均一に基地局が敷設された環境においては、各無線セルのカバレッジは均等となるため、アンテナチルト角の調整も比較的容易である。しかし、実環境においては、地形及び大小様々な建築物による影響や、無線基地局の敷設における場所的な制限等により、無線セルのカバレッジは複雑な形状となる。このため、上述の無線セルのカバレッジ調整は、電波測定車輌によるドライブテスト及び熟練の技術者による無線パラメータの入念な調整作業によってなされており、多大な運用コストが必要とされていた。【０００７】
そこで、このようなアンテナチルト角の設定に係るコストを削減する目的で、各無線セルのアンテナチルト角を自律的に調整する技術が提案されている。例えば、特許文献１では、無線セルのアンテナチルト角の候補値を設定しておき、それらを実際の無線セルに順次適用し、一定の測定期間で無線セル内の無線端末における受信信号強度（単に受信強度とも呼ばれる）、及び無線基地局における上りリンク（アップリンク）干渉を測定し、適切なアンテナチルト角を選択する制御方法が開示されている。
【特許文献１】特許第４２４２０６１号
【発明の開示】
【発明が解決しようとする課題】
【０００８】
上記技術では、アンテナチルト角の候補値を実際の無線セルに適用するため、候補値によってはカバレッジが不十分となってしまい、弱電エリアや不感地が発生する恐れがある。又、一般に、無線端末の測定情報は通信可能なエリアからの収集となるため、特に、一旦発生した不感地は検出できない場合がある。そのため、実際には不感地が発生しているアンテナチルト角を選択してしまう可能性がある。従って、弱電エリアや不感地の発生を抑制しつつ、カバレッジを適切に調整する自律的なアンテナチルト角の制御が必要となる。【０００９】
そこで、本発明が解決しようとする課題は、上記問題点を解決することであり、アンテナチルト角の制御に伴う弱電エリアや不感地の発生を抑制することにある。
【課題を解決するための手段】
【００１０】
本発明は上記の課題を解決するため、以下に示す無線通信システム、無線基地局、及び無線パラメータ制御方法を提供する。【００１１】
本発明は、無線基地局が管理する無線セルのアンテナパラメータを制御する無線通信システムであって、前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、前記推定した受信強度の変化度合いに基づいて、前記アンテナチルト角を制御する制御手段とを備える。【００１２】
本発明は、無線基地局が管理する無線セルのアンテナパラメータを制御する制御装置であって、前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、前記推定した受信強度の変化度合いに基づいて、前記アンテナチルト角を制御する制御手段とを備える。【００１３】
本発明は、無線基地局が管理する無線セルのアンテナパラメータを制御する制御方法であって、前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定ステップと、前記推定した受信強度の変化度合いに基づいて、前記アンテナチルト角を制御する制御ステップとを備える。【００１４】
本発明は、無線基地局が管理する無線セルのアンテナパラメータを制御する制御装置のプログラムであって、前記プログラムは、前記制御装置を、前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、前記推定した受信強度の変化度合いに基づいて、前記アンテナチルト角を制御する制御手段として機能させることを特徴とする。
【発明の効果】
【００１５】
本願発明によると、アンテナチルト角の変更に伴う弱電エリアや不感地の発生を極力抑制しながら、無線セルのカバレッジを調整できることにある。その理由は、無線端末からの無線品質の測定結果に基づき、アンテナチルト角の変更後に十分な受信信号強度が得られるかどうかを推定することで、アンテナチルト角の変更可否を判断するためである。
【図面の簡単な説明】
【００１６】
【図１】本発明における無線通信システムの構成図である。
【図２】本発明における無線基地局の構成を示す図である。
【図３】本発明における基地局情報記憶装置が保持する基地局情報テーブルの内容例を示す図である。
【図４】本発明における無線端末からの測定情報テーブルの内容例を示す図である。
【図５】本発明における受信信号強度推定部の動作フローを示す図である。
【図６】本発明におけるアンテナゲインパターンを用いた受信信号強度の最大変化量の推定方法についての模式図である。
【図７】本発明における抽出情報テーブルの内容例を示す図である。
【図８】本発明におけるアンテナパラメータ制御判定部の動作フローを示す図である。
【図９】第２の実施の形態における一例を説明するための図である。
【図１０】第３の実施の形態における一例を説明するための図である。
【発明を実施するための最良の形態】
【００１７】
本発明の基本原理は、無線基地局又はネットワーク運用管理装置（ＳＯＮ（Ｓｅｌｆ Ｏｒｇａｎｉｚｉｎｇ Ｎｅｔｗｏｒｋ）サーバとも呼ぶ）が、無線基地局と通信可能な無線端末によって報告される無線品質又は無線通信状態に関する測定情報に基づいて、無線基地局のアンテナチルト角を変更した後の当該無線基地局が送信する信号の受信強度の変化度合いを推定し、この推定した変化度合いに基づいてアンテナチルト角を制御することである。【００１８】
アンテナチルト角を制御するにあたって、制御前にアンテナチルト角を変更するか否かを判定してから制御を開始する。この判定方法としては、推定した受信強度の変化度合いを基にカバレッジ変化率を算出し、当該カバレッジ変化率が所定のカバレッジ変化率未満か否かでアンテナチルト角を制御するか否かを判定する方法が考えられる。ここで、カバレッジ変化率としては、例えば、無線基地局が送信する信号の受信強度が所要品質未満となるエリア率、又は、通信不可能となるエリア率が考えられ、カバレッジ変化率（この場合、カバレッジ劣化率とも呼ぶ）が、所定のカバレッジ変化率未満の場合に、アンテナチルト角を変更する。さらに、受信強度の変化度合いの推定は、アンテナチルト角の制御対象とする無線セルを管理する無線基地局のアンテナチルト角、アンテナ高、アンテナゲインパターン、又は、セル端への見込み角の少なくとも一つを用いる。又、当該受信強度の変化度合いとしては、アンテナチルト角の変更に伴う受信強度の変化量、又は、最大変化量を用いる。なお、変化度合いとしては、変化量や変化率が考えられる。以下では、無線通信システムの例として、３ＧＰＰ（３ｒｄ Ｇｅｎｅｒａｔｉｏｎ Ｐａｒｔｎｅｒｓｈｉｐ Ｐｒｏｊｅｃｔ）のＬＴＥ（Ｌｏｎｇ Ｔｅｒｍ Ｅｖｏｌｕｔｉｏｎ）のシステムを想定して説明する。しかし、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ：登録商標）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００（Ｃｏｄｅ  Ｄｉｖｉｓｉｏｎ  Ｍｕｌｔｉｐｌｅ  Ａｃｃｅｓｓ  ２０００）及びその発展系（１ｘＲＴＴ、ＨＲＰＤ）、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、など他の通信システムであっても良い。【００１９】
本発明の詳細について図面を参照して下記にて説明する。【００２０】
<第１の実施の形態>
図１には、本発明の一実施の形態としての無線通信システムの構成が示されている。無線通信システムは、外部網１００、コア網１０１、無線アクセス網１０２、ネットワーク管理装置１０３、無線基地局１２０及び１２１、及び無線端末１３０〜１３２を有する。外部網１００とコア網１０１とは互いに有線リンク１１０を介して接続され、コア網１０１と無線アクセス網１０２とは互いに有線リンク１１１を介して接続されている。【００２１】
ネットワーク管理装置１０３は、コア網１０１と有線リンク１１３を介して接続し、無線アクセス網１０２と有線リンク１１２を介して接続され、両方のネットワークの通信状態を管理し、保守及び運用を行う。【００２２】
無線基地局１２０及び１２１は、それぞれ無線セル１４０及び１４１を管理し、無線端末１３０、１３１及び１３２は当該無線端末が接続する無線セル１４０及び１４１を管理する無線基地局１２０及び１２１と無線リンクを介して通信する。なお、無線基地局１２０及び１２１の２つを有する構成を用いて説明するが、本発明において個数が限定される必要は無い。【００２３】
無線端末１３０、１３１及び１３２は無線品質測定機能を備え、定期的もしくは任意の測定のトリガに応じて無線品質を測定する。なお、無線端末１３０〜１３２の３つを有する構成を用いて説明するが、本発明において個数が限定される必要は無い。【００２４】
図２には、図１に示すネットワーク管理装置１０３と無線基地局１２０との構成の一例が示されている。【００２５】
無線基地局１２０は、測定制御部２１１と送受信部２１０とを有する。【００２６】
まず無線基地局１２０における測定制御部２１１は送受信部２１０を用いて、無線端末１３２から無線品質の測定情報を収集し、定期的もしくは任意のトリガに応じてネットワーク管理装置１０３に通知する。【００２７】
次に、ネットワーク管理装置１０３では、1以上の無線基地局から通知された測定情報を集計し、無線品質統計情報記憶装置２０１に格納する。ここで、無線品質の測定情報には１以上の無線基地局からの基準信号の受信電力（ＲＳＲＰ：Ｒｅｆｅｒｅｎｃｅ Ｓｉｇｎａｌ Ｒｅｃｅｉｖｅｄ Ｐｏｗｅｒ）を含む。【００２８】
次に、受信信号強度推定部２１２は、アンテナゲインパターンを用いて、アンテナチルト角の制御対象とする無線セル（以後、自セルと呼称する。）におけるアンテナチルト角の変更に伴う１以上の各無線セルからの信号の受信強度（ここでは、ＲＳＲＰを想定する。）の変化量、又は、最大変化量を推定する。なお、アンテナチルト角の変更の候補値における受信信号強度の変化量、又は、最大変化量の推定値には、自セルにおける１以上のアンテナチルト角の変更履歴と当該履歴に応じた測定情報における受信信号強度を用いて、線形補間法によって得られる推定値を用いても良い。さらに当該最大変化量と、無線端末１３２からの無線品質の測定結果に含まれる自セル及び自セルに隣接する無線セル（以後、隣接セルとも呼称する。）の基準信号の受信電力とセルＩＤを基に、自セルのアンテナチルト角を変更した場合の受信信号強度の変化度合いを推定する。以下では受信信号強度の変化度合いとして、変化量を想定する。なお、受信強度としては、必ずしもＲＳＲＰである必要はなく、ＲＳＳＩ（Ｒｅｃｅｉｖｅｄ  Ｓｉｇｎａｌ  Ｓｔｒｅｎｇｔｈ  Ｉｎｄｉｃａｔｏｒ）など他の指標でも良い。【００２９】
次に、アンテナパラメータ制御判定部２１３はアンテナチルト角を変更した場合の受信信号強度の変化量に基づき、カバレッジ変化率を算出し、カバレッジ変化率が所定のカバレッジ変化率未満か否かで、アンテナチルト角を変更するか否かを判定する。ここで、カバレッジ変化率として、受信信号強度が所要品質未満となるエリア率であるカバレッジ劣化率を用いてもよく、この場合には所定のカバレッジ劣化率未満となる場合に、アンテナチルト角を変更する。そして、自セルのアンテナチルト角を更新した場合には、基地局情報記憶装置２００を更新する。なお、アンテナチルト角の変更に伴う受信信号強度の最大変化量を推定する代わりに、受信信号強度の変化量の分布を推定し、当該分布の所定ポイント、例えば、累積分布関数（ＣＤＦ：Ｃｕｍｕｌａｔｉｖｅ Ｄｉｓｔｒｉｂｕｔｅｄ Ｆｕｎｃｔｉｏｎ）の任意値を最大変化量の代わりに用いても良い。【００３０】
図３に、基地局情報記憶装置２００が保持する基地局情報３００の内容を示す。【００３１】
この例では、基地局ＩＤ３０１、セルＩＤ３０２及び設置地点３０３を含む置局情報３１０と、セルＩＤ３０２、最大送信電力３０４及び、高さ、指向性パターン、方位角及び仰角からなるアンテナ構成３０５を含むパラメータ情報３２０が規定されている。ここで、最大送信電力３０４及びアンテナ構成３０５は、設定値が変更された場合にネットワーク管理装置１０３に通知される。又、同様にして単位時間ごとに各無線セルで測定されたトラフィック負荷などの運用情報もネットワーク管理装置１０３に通知される。【００３２】
図４に、無線端末１３２が測定した測定情報４００の内容を示す。【００３３】
この例では、Ｒａｎｋ４０１、ＲＳＲＰ値４０２、セルＩＤ４０３が規定されている。無線端末は１以上の無線セルのＲＳＲＰを測定し、接続する無線基地局に報告する。無線基地局又はネットワーク管理装置では測定情報に基づき、ＲＳＲＰ値が高い順にＲａｎｋを付加して並び替え、送信元の無線セルのＩＤと関連付ける。ここで、無線端末は最もＲＳＲＰ値の大きい無線セルＸに接続しているものとする。すなわち、Ｒａｎｋ＃１に該当する無線セルＸはＳｅｒｖｉｎｇ Ｃｅｌｌとなり、それ以降のＲａｎｋ＃２〜７に該当する無線セルＡ〜ＦはＮｅｉｇｈｂｏｒ Ｃｅｌｌとなる。【００３４】
以上詳細に実施例の構成を述べたが、上記以外の無線基地局や無線端末の送受信機能は、当業者にとってよく知られており、又、本発明とは直接関係しないので、その詳細な構成は省略する。【００３５】
<動作の説明>
まず、測定制御部２１１は次のように動作する。無線基地局１２０における測定制御部２１１は、無線基地局１２０が管理する無線セル１４０において、通信中の無線端末から、無線品質又は無線通信状態に関する情報である測定情報を収集する。次に、収集された測定情報は、定期的もしくは任意のトリガに応じてネットワーク管理装置１０３に通知され、無線品質統計情報記憶装置２０１に格納される。【００３６】
次に、図５から図８を参照して本実施の形態の全体の動作について詳細に説明する。なお、以下で説明する動作は1以上のアンテナチルト角の候補値に対して実施されるものであり、実際にアンテナチルト角を変更する際には、アンテナチルト角の変更が可と判定された候補値の中から１つを選択して行われる。【００３７】
図５において、受信信号強度推定部２１２は次のように動作する。所定の時間経過又は十分な測定情報が収集された場合に、受信信号強度推定部２１２は推定処理を開始する。まず、無線品質統計情報記憶装置２０１より、無線端末から収集した測定情報を取得し（ステップＳ１０１）、収集した測定情報の総数をカウントする（ステップＳ１０２）。【００３８】
次に、自セルのセル端５１１までの距離を推定する（ステップＳ１０３）。ここで、自セルのセル端５１１までの距離は、自セル及び隣接セルの無線基地局に関する基地局情報内の設置地点３０３やアンテナ構成３０５を用いて推定する。例えば、自セルと隣接セルの最大送信電力、標高、アンテナ高５１２及び仰角が等しい場合に、二つのセルの中間点までの距離としても良い。又、測定情報の位置が把握できるドライブテストなどから取得できる実測データを活用して求めても良く、この場合には、無線基地局がアンテナチルト角の制御に伴う処理を実行するようにしても良い。【００３９】
次に、セル端までの距離と自セルのアンテナ高５１２を用いて、セル端への見込み角５１３を算出する（ステップＳ１０４）。一般に、ダウンチルトに伴う受信信号強度の変化量はセル端５１１で最も大きくなるため、ここでは受信信号強度の最大変化量Δ５２０の推定にセル端への見込み角５１３を用いる。【００４０】
次に、現在のアンテナチルト角と変更後のアンテナチルト角におけるアンテナゲインパターンとセル端への見込み角５１３に基づき、アンテナチルト角の変更に伴う受信信号強度の最大変化量Δ５２０を推定する（ステップＳ１０５）。【００４１】
ここで、図６に、アンテナゲインパターンを用いた受信信号強度の最大変化量の推定方法についての模式図を示す。図６におけるアンテナゲインパターン（変更前）５００（点線部分）は、アンテナチルト角の変更前のアンテナゲインパターンを示し、アンテナゲインパターン（変更後）５０１（実線部分）は、変更後のアンテナゲインパターンを示している。ここで、変更前後のアンテナゲインの差は、無線セル１４０のセル端５１１において最も大きく、その差が受信信号強度の最大変化量Δ５２０に該当する。【００４２】
例えば、非特許文献１（３ＧＰＰ  ＴＳ３６．８１４  Ｖ９．０．０）のＴａｂｌｅ Ａ.２.１．１-２に記載のＡｎｔｅｎｎａ ｐａｔｔｅｒｎ（ｖｅｒｔｉｃａｌ）を用いた場合には数式１より推定することができる。なお、数式１におけるＨａｎｔはアンテナ高であり、Ｄｅｄｇｅはアンテナからセル端までの距離であり、θａｎｔは変更後のアンテナチルト角であり、θｐｒｅは変更前のアンテナチルト角であり、θ３ｄＢはアンテナの３ｄＢビーム幅であり、Ａｔｎ（）は逆正接関数である。
【数１】
2014136739.tif 000003
【００４３】
そして、推定した受信信号強度の最大変化量を用いて、例えばセル端にいる端末などのアンテナチルト角の変更に伴って無線品質の劣化が予想される端末の測定情報を抽出する。具体的には、自セルのアンテナチルト角を変更した場合の自セルのＲＳＲＰ値が、所望の無線品質を満たすために必要な所要品質未満となる測定情報と、隣接セルのＲＳＲＰ値の中で最も大きな値を示すＲＳＲＰ値未満となる測定情報を抽出する（ステップＳ１０６）。抽出情報には、自セルのＲＳＲＰ値と最も大きな値を示す隣接セルのＲＳＲＰ値を含む。ここで、隣接セルのＲＳＲＰ値を抽出するのは、アンテナチルト角の変更によって、隣接セルに接続を切り替えることが予想される無線端末が、接続を切り替えた後に十分な無線品質が保たれるかどうかを判別するためである。【００４４】
図７に、抽出情報の内容例を示す。この例では、無線端末１の測定情報４１０と無線端末２の測定情報４２０から、Ｓｅｒｖｉｎｇ Ｃｅｌｌ ＸのＲＳＲＰ値と、Ｎｅｉｇｈｂｏｒ Ｃｅｌｌの中で最も大きいＲＳＲＰ値を示すＣｅｌｌ Ａ及びＣｅｌｌ ＣのＲＳＲＰ値（Ｐａｌ, Ｐｃ２）を抽出する。なお、抽出情報６００におけるＳｅｒｖｉｎｇ Ｃｅｌｌ ＸのＲＳＲＰ値は、ステップＳ１０５で推定した受信信号強度の最大変化量Δ５２０を反映しており（つまり、Δを差し引いた値）、Ｐｘ１-Δ及びＰｘ２-Δは所要品質未満であるか、もしくはそれぞれＰａｌ, Ｐｃ２を下回る値であるものとする。【００４５】
次に、図８において、アンテナパラメータ制御判定部２１３は次のように動作する。まず、受信信号強度推定部２１２から推定したアンテナチルト角変更後の自セルの受信信号強度（ここでは、ＲＳＲＰを想定）及び隣接セルの受信信号強度の抽出情報を取得する（ステップＳ２０１）。【００４６】
次に、抽出情報を１つずつ選択し、アンテナチルト角変更後の自セルのＲＳＲＰ値と隣接セルのＲＳＲＰ値を比較するが、まず選択していない（未選択の）受信信号強度が有るか否かを判定する（ステップＳ２０２）。未選択の受信信号強度が有る場合（ステップ２０２：Ｙｅｓ）、その中から１つを選択する（ステップＳ２０３）。そして、アンテナチルト角変更後の自セルのＲＳＲＰ値と隣接セルのＲＳＲＰ値を比較し（ステップＳ２０４）、自セルのＲＳＲＰ値が大きい場合には（ステップＳ２０４：Ｙｅｓ）、自セルのＲＳＲＰ値を所要品質と比較する（ステップＳ２０５）。ここで、自セルのＲＳＲＰ値が所要品質未満の場合には（ステップＳ２０５：Ｎｏ）、カバレッジ劣化数としてカウントする（ステップＳ２０７）。又、ステップＳ２０４で隣接セルのＲＳＲＰ値が自セルのＲＳＲＰ値より大きい場合には（ステップＳ２０４：Ｎｏ）、隣接セルのＲＳＲＰ値を所要品質と比較する（ステップＳ２０６）。ここでも同様に、隣接セルのＲＳＲＰ値が所要品質未満の場合には、カバレッジ劣化数としてカウントする（ステップＳ２０７）。【００４７】
一方、全ての抽出情報の選択が完了したら（ステップ２０２：Ｎｏ）、測定情報の総数に対するカバレッジ劣化数の比をカバレッジ劣化率として算出する（ステップＳ２０８）。次に、算出したカバレッジ劣化率を所定のカバレッジ変化率と比較する（ステップＳ２０９）。ここで、カバレッジ劣化率が所定のカバレッジ変化率未満となる場合には（ステップＳ２０９：Ｙｅｓ）、アンテナチルト角の変更を可とする（ステップＳ２１０）。一方で、カバレッジ劣化率が所定のカバレッジ変化率以上となった場合には（ステップＳ２０９：Ｎｏ）、アンテナチルト角の変更を否とする（ステップＳ２１１）。【００４８】
又、弱電エリア、又は、不感地の発生場所が特定されており、周辺の無線セルのアンテナチルト角を変更することで対応する場合に、本実施の形態を用いてアンテナチルト角の変更量を算出する。その基本的な動作については図５から図８を参照して説明した動作と同様であるが、セル端への見込み角５１３の代わりに、当該弱電エリア、又は当該不感地への見込み角を用いて、１以上のアンテナチルト角の候補値における受信信号強度の最大変化量を推定する。まず、各無線セルのアンテナ方位角に基づいて、アンテナ方位角から所定の水平角度の範囲内に、当該弱電エリア、又は当該不感地を含む無線セルを抽出する。なお、抽出した無線セルと、当該弱電エリア、又は当該不感地との距離が所定値以内である無線セルについて、再度抽出して以下の処理を行っても良い。次に、抽出した無線セルについて、当該弱電エリア、又は当該不感地との距離に基づいて、受信信号強度の距離減衰量を推定する。ここで、距離減衰量に推定には、一般的に知られている電波伝搬モデルを用いる。次に、アンテナゲインパターンと当該弱電エリア、又は当該不感地への見込み角を用いて、１以上のアンテナチルト角の候補値における受信信号強度の最大変化量を推定する。次に、推定した距離減衰量と受信信号強度の最大変化量及び無線セルの送信電力値から、当該弱電エリア、又は当該不感地における受信信号強度を算出する。さらに、算出した受信信号強度と所要値を比較することで、当該弱電エリア、又は当該不感地を解消するために必要なアンテナチルト角の変更値を算出する。【００４９】
次に、本実施の形態の効果について説明する。本実施の形態では、無線端末から収集した無線品質の測定情報と基地局情報に基づいて、アンテナチルト角の変更に伴う受信信号強度の最大変化量を推定している。さらに、受信信号強度の最大変化量を用いて、アンテナチルト角変更後のカバレッジ劣化率を推定し、アンテナチルト角の変更可否を決定している。これにより、アンテナチルト角の変更に伴う弱電エリアや不感地の発生を抑制しつつ、カバレッジを最適化することができる。【００５０】
又、本実施の形態の他の効果について説明する。本実施の形態における受信信号強度の推定処理を用いることにより、例えば弱電エリアの発生場所が特定されており、周辺の無線セルのアンテナチルト角を変更することで対応する場合に、当該弱電エリアへの見込み角とアンテナゲインパターンから、弱電エリアを解消するために必要なアンテナチルト角の変更量を推定することができる。このアンテナチルト角の変更量を基に、適切な無線セルを選択してアンテナチルト角を変更することで、結果として無線品質の改善に貢献できる。【００５１】
上記では、アンテナチルト角の制御に伴う処理はすべてネットワーク管理装置が行うものとして説明したが、無線基地局が当該アンテナチルト角の制御に伴う処理を実行するようにしても良い。このような構成の場合、無線端末からの無線品質の測定結果の収集におけるシグナリングが減るという効果がある。【００５２】
（第２の実施の形態）
次に、本発明の第２の発明を実施するための最良の形態について詳細に説明する。【００５３】
第２の実施の形態の基本的構成は第１の実施の形態と同様である。さらに、その基本的動作は第１の実施の形態における図５及び図８と同様であるが、同一の無線基地局に属する無線セルをＮｅｉｇｈｂｏｒ Ｃｅｌｌに含むすべての測定情報を除外する。具体的には、図５に記載したステップＳ１０６において、自セルと同一の無線基地局に属する他の無線セルのＩＤを含む情報を除外し、Ｓｅｒｖｉｎｇ Ｃｅｌｌと異なる他の無線基地局に属する他の無線セルからの信号の受信信号強度の中で最も大きい受信信号強度を示す測定情報を抽出する。これは、同一の無線基地局に属する他の無線セルとのセル境界では、アンテナ方位角の変更による受信信号強度の変化が支配的であり、アンテナチルト角の変更による受信信号強度の変化は小さいと考えられるためである。例として、Ｘ、Ａ及びＣが同一の無線基地局に属する場合の抽出情報例を図９に示す。【００５４】
又、同一の無線基地局に属する無線セルのＩＤを含む情報に加えて、自セルのアンテナ方位角から所定の水平角度の範囲外に位置する他の無線セルのＩＤをＮｅｉｇｈｂｏｒ Ｃｅｌｌ ＩＤに含む情報を除外しても良い。つまり、自セルのアンテナ方位角を基準に、所定の水平角度内に存在する無線セルからの信号の受信信号強度を算出し、最も大きい受信信号強度を示す測定情報を抽出するようにしても良い。【００５５】
次に、本実施の形態の効果について説明する。本実施の形態では、自セルのダウンチルトに伴う受信信号強度の変化量が最も大きいセル端での測定情報から抽出情報を生成するため、アンテナチルト角の変更後のカバレッジ劣化率をより正確に推定できる。結果として、無線セル内の無線端末における無線品質を大きく劣化させることなくカバレッジの調整を可能にする。【００５６】
又、本実施の形態の他の効果について説明する。本実施の形態における抽出情報の限定を行うことにより、情報量の削減が実現される。結果として、数多くの測定情報が収集される高トラフィックなエリアをカバーする無線セルや、広範囲をカバーする無線セルにおいても、現実的な処理量で本発明を実現できる。【００５７】
<第３の実施の形態>
次に、本発明の第３の実施の形態について詳細に説明する。【００５８】
第３の実施の形態の基本的構成は第１の実施の形態と同様である。さらに、その基本的動作は第１の実施の形態における図５及び図８と同様であるが、自セルのアンテナチルト角の変更後に、隣接する他の無線セルに接続を切り替える無線端末数を推定し、自セル及び当該隣接セルの負荷を推定する。具体的には、図８に記載したステップＳ２０３において、自セルのＲＳＲＰ値が隣接セルのＲＳＲＰ値未満となる測定情報をカウントし、測定情報の総数から隣接セルに接続を切り替える端末の割合、又は、数を推定し、自セル及び隣接セルの負荷情報に基づいて、アンテナチルト角を変更した場合の隣接セルの負荷量を推定する。そして、推定した隣接セルの負荷が所定の負荷量未満となる場合に、アンテナチルト角の変更を行う。図１０に無線セルＸのアンテナチルト角を変更した場合に、隣接セルに接続を切り替える無線端末の割合の例を示す。この例では、無線セルＸのアンテナチルト角を変更した場合には、無線セルＸの負荷の１５％分が隣接する無線セルＡに委譲されることになる。この無線セルＸの負荷の１５％分をセルＡで許容可能（つまり、所定の負荷量未満）であり、他の無線セルにおいても同様に無線セルＸの負荷の一部を許容可能であれば無線セルＸのアンテナチルト角を変更する。【００５９】
次に、本実施の形態の効果について説明する。本実施の形態では、無線端末から収集した無線品質の測定情報と基地局情報に基づいて、アンテナチルト角を変更した場合に、自セルから隣接セルに接続を切り替える無線端末の割合、又は数を推定している。さらに、当該推定値と自セル及び隣接セルの負荷から、アンテナチルト角変更後の隣接セルの負荷量を推定し、アンテナチルト角の変更可否を決定している。これにより、自セルのアンテナチルト角の変更に伴う隣接セルにおける輻輳の発生を抑制することができる。【００６０】
本発明の活用例として、無線通信システムにおいて、無線端末の測定情報を基にアンテナチルト角を制御する無線基地局又はネットワーク管理装置といった用途に適用できる。【００６１】
又、本発明の第二の活用例として、ドライブテストなどによる弱電エリアや不感地の場所の特定がなされた場合や、一部無線基地局の故障や停電などによる弱電エリアの発生の際に、周辺の無線基地局におけるカバレッジの調整といった用途に適用できる。【００６２】
（付記１）
無線基地局が管理する無線セルのアンテナパラメータを制御する無線通信システムであって、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、
前記推定した受信強度の変化度合いに基づいて、前記アンテナチルト角を制御する制御手段と
を備える無線通信システム。【００６３】
（付記２）
前記制御手段は、前記推定手段が推定した変化度合いに基づいて前記無線基地局のカバレッジ変化率を算出し、前記算出したカバレッジ変化率と所定のカバレッジ変化率とに基づいて、前記アンテナチルト角を制御するか否かを判定し、前記推定手段が前記アンテナチルト角を制御すると判定した場合に、前記アンテナチルト角を制御する
付記１記載の無線通信システム。【００６４】
（付記３）
前記制御手段は、前記カバレッジ変化率として、前記無線基地局からの信号の受信強度が所要品質未満となるエリア率、又は、通信不可能となるエリア率であるカバレッジ劣化率を算出し、前記算出したカバレッジ劣化率が所定のカバレッジ変化率未満の場合に、アンテナチルト角を変更する
付記２記載の無線通信システム。【００６５】
（付記４）
前記推定手段は、前記変化度合いを、前記無線基地局のアンテナチルト角を変更した後のアンテナゲインの変化量と前記測定情報とに基づき推定する
付記１から付記３のいずれかに記載の無線通信システム。【００６６】
（付記５）
前記推定手段は、前記無線基地局のアンテナチルト角、アンテナ高、アンテナゲインパターン、及びセル端への見込み角の少なくとも一つを用いて、アンテナチルト角の変更に伴う受信強度の変化量又は最大変化量を推定する
付記１から付記４のいずれかに記載の無線通信システム。【００６７】
（付記６）
前記推定手段は、前記無線基地局の制御前のアンテナチルト角及び前記セル端への見込み角を用いて、前記アンテナゲインパターンに基づく前記セル端における制御前のアンテナゲイン量を推定し、前記無線基地局の制御後のアンテナチルト角及び前記セル端への見込み角を用いて、前記アンテナゲインパターンに基づく前記セル端における制御後のアンテナゲイン量を推定し、前記推定した制御前と制御後とのアンテナゲイン量を比較することで、受信強度の最大変化量であるセル端における受信強度の変化量を推定する
付記５に記載の無線通信システム。【００６８】
（付記７）
前記推定手段は、前記無線基地局のアンテナチルト角を変更した場合の当該セルの信号の受信強度を前記受信強度の最大変化量に基づいて推定し、前記推定した受信強度が所要品質未満となる測定情報と、前記推定した受信強度が前記無線基地局に隣接する隣接無線基地局からの信号の受信強度の中で、最大の受信強度を下回る測定情報を抽出する
付記５又は付記６記載の無線通信システム。【００６９】
（付記８）
前記制御手段は、前記無線基地局のアンテナチルト角を変更した場合の前記無線基地局からの信号の受信強度又は抽出した前記隣接無線基地局からの信号の受信強度と前記所要品質とを比較することで前記カバレッジ変化率を算出し、前記算出したカバレッジ変化率が前記所定のカバレッジ変化率未満である場合に前記無線基地局のアンテナチルト角の変更する
付記７記載の無線通信システム。【００７０】
（付記９）
前記制御手段は、前記無線端末が滞在する無線セルを管理する前記無線基地局とは異なる他の前記無線基地局からの信号の受信強度を算出し、前記算出した受信強度と前記所要品質とを比較する
付記７又は付記８記載の無線通信システム。【００７１】
（付記１０）
前記制御手段は、前記無線基地局のアンテナ方位角を基準に、所定の水平角度内に存在する無線基地局からの信号の受信強度を算出し、前記算出した受信強度と前記所要品質とを比較する
付記７から付記９のいずれかに記載の無線通信システム。【００７２】
（付記１１）
前記制御手段は、
前記無線基地局及び少なくとも１つ以上の前記隣接基地局からの信号の受信強度と、前記アンテナチルト角を変更した場合の前記受信強度の最大変化量とを用いて、アンテナチルト角の制御後に前記隣接基地局に接続を切り替える無線端末数を推定し、
前記無線基地局及び前記隣接基地局の負荷情報に基づいて、アンテナチルト角の制御後の前記無線基地局及び前記隣接基地局の負荷が所定の負荷量未満となる場合に、アンテナチルト角を変更する
付記７から付記１０のいずれかに記載の無線通信システム。【００７３】
（付記１２）
前記測定情報は、基準信号の受信電力である基準信号受信電力（ＲＳＲＰ: Ｒｅｆｅｒｅｎｃｅ Ｓｉｇｎａｌ Ｒｅｃｅｉｖｅｄ Ｐｏｗｅｒ）、及び前記基準信号の受信品質である基準信号受信品質（ＲＳＲＱ: Ｒｅｆｅｒｅｎｃｅ Ｓｉｇｎａｌ Ｒｅｃｅｉｖｅｄ Ｑｕａｌｉｔｙ）の少なくともいずれかを含む
付記１から付記１１のいずれかに記載の無線通信システム。【００７４】
（付記１３）
無線基地局が管理する無線セルのアンテナパラメータを制御する制御装置であって、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、
前記推定した受信強度の変化度合いに基づいて、前記アンテナチルト角を制御する制御手段と
を備える制御装置。【００７５】
（付記１４）
前記制御手段は、前記推定手段が推定した変化度合いに基づいて前記無線基地局のカバレッジ変化率を算出し、前記算出したカバレッジ変化率と所定のカバレッジ変化率とに基づいて、前記アンテナチルト角を制御するか否かを判定し、前記アンテナチルト角を制御すると判定した場合に、前記アンテナチルト角を制御する
付記１３記載の制御装置。【００７６】
（付記１５）
前記制御手段は、前記カバレッジ変化率として、前記無線基地局からの信号の受信強度が所要品質未満となるエリア率、又は、通信不可能となるエリア率であるカバレッジ劣化率を算出し、前記算出したカバレッジ劣化率が所定のカバレッジ変化率未満の場合に、アンテナチルト角を変更する
付記１４記載の制御装置。【００７７】
（付記１６）
前記推定手段は、前記変化度合いを、前記無線基地局のアンテナチルト角を変更した後のアンテナゲインの変化量と前記測定情報とに基づき推定する
付記１３から付記１５のいずれかに記載の制御装置。【００７８】
（付記１７）
前記推定手段は、前記無線基地局のアンテナチルト角、アンテナ高、アンテナゲインパターン、及びセル端への見込み角の少なくとも一つを用いて、アンテナチルト角の変更に伴う受信強度の変化量又は最大変化量を推定する
付記１３から付記１６のいずれかに記載の制御装置。【００７９】
（付記１８）
前記推定手段は、前記無線基地局の制御前のアンテナチルト角及び前記セル端への見込み角を用いて、前記アンテナゲインパターンに基づく前記セル端における制御前のアンテナゲイン量を推定し、前記無線基地局の制御後のアンテナチルト角及び前記セル端への見込み角を用いて、前記アンテナゲインパターンに基づく前記セル端における制御後のアンテナゲイン量を推定し、前記推定した制御前と制御後とのアンテナゲイン量を比較することで、受信強度の最大変化量であるセル端における受信強度の変化量を推定する
付記１７に記載の制御装置。【００８０】
（付記１９）
前記推定手段は、前記無線基地局のアンテナチルト角を変更した場合の当該セルの信号の受信強度を前記受信強度の最大変化量に基づいて推定し、前記推定した受信強度が所要品質未満となる測定情報と、前記推定した受信強度が前記無線基地局に隣接する隣接無線基地局からの信号の受信強度の中で、最大の受信強度を下回る測定情報を抽出する
付記１７又は付記１８記載の制御装置。【００８１】
（付記２０）
前記制御手段は、前記無線基地局のアンテナチルト角を変更した場合の前記無線基地局からの信号の受信強度又は抽出した前記隣接無線基地局からの信号の受信強度と前記所要品質とを比較することで前記カバレッジ変化率を算出し、前記算出したカバレッジ変化率が前記所定のカバレッジ変化率未満である場合に前記無線基地局のアンテナチルト角の変更する
付記１９記載の制御装置。【００８２】
（付記２１）
前記制御手段は、前記無線端末が滞在する無線セルを管理する前記無線基地局とは異なる他の前記無線基地局からの信号の受信強度を算出し、前記算出した受信強度と前記所要品質とを比較する
付記１９又は付記２０記載の制御装置。【００８３】
（付記２２）
前記制御手段は、前記無線基地局のアンテナ方位角を基準に、所定の水平角度内に存在する無線基地局からの信号の受信強度を算出し、前記算出した受信強度と前記所要品質とを比較する
付記１９から付記２１のいずれかに記載の制御装置。【００８４】
（付記２３）
前記制御手段は、
前記無線基地局及び少なくとも１つ以上の前記隣接基地局からの信号の受信強度と、前記アンテナチルト角を変更した場合の前記受信強度の最大変化量とを用いて、アンテナチルト角の制御後に前記隣接基地局に接続を切り替える無線端末数を推定し、
前記無線基地局及び前記隣接基地局の負荷情報に基づいて、アンテナチルト角の制御後の前記無線基地局及び前記隣接基地局の負荷が所定の負荷量未満となる場合に、アンテナチルト角を変更する
付記１９から付記２２のいずれかに記載の制御装置。【００８５】
（付記２４）
前記測定情報は、基準信号の受信電力である基準信号受信電力（ＲＳＲＰ:Ｒｅｆｅｒｅｎｃｅ Ｓｉｇｎａｌ Ｒｅｃｅｉｖｅｄ Ｐｏｗｅｒ）、及び前記基準信号の受信品質である基準信号受信品質（ＲＳＲＱ:Ｒｅｆｅｒｅｎｃｅ Ｓｉｇｎａｌ Ｒｅｃｅｉｖｅｄ Ｑｕａｌｉｔｙ）の少なくともいずれかを含む
付記１３から付記２３のいずれかに記載の制御装置。【００８６】
（付記２５）
無線基地局が管理する無線セルのアンテナパラメータを制御する制御方法であって、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定ステップと、
前記推定した受信強度の変化度合いに基づいて、前記アンテナチルト角を制御する制御ステップと
を備える制御方法。【００８７】
（付記２６）
前記制御ステップは、前記推定ステップで推定された変化度合いに基づいて前記無線基地局のカバレッジ変化率を算出し、前記算出したカバレッジ変化率と所定のカバレッジ変化率とに基づいて、前記アンテナチルト角を制御するか否かを判定し、前記推定ステップで前記アンテナチルト角を制御すると判定された場合に、前記アンテナチルト角を制御する
付記２５記載の制御方法。【００８８】
（付記２７）
前記制御ステップは、前記カバレッジ変化率として、前記無線基地局からの信号の受信強度が所要品質未満となるエリア率、又は、通信不可能となるエリア率であるカバレッジ劣化率を算出し、前記算出したカバレッジ劣化率が所定のカバレッジ変化率未満の場合に、アンテナチルト角を変更する
付記２６記載の制御方法。【００８９】
（付記２８）
前記推定ステップは、前記変化度合いを、前記無線基地局のアンテナチルト角を変更した後のアンテナゲインの変化量と前記測定情報とに基づき推定する
付記２５から付記２７のいずれかに記載の制御方法。【００９０】
（付記２９）
前記推定ステップは、前記無線基地局のアンテナチルト角、アンテナ高、アンテナゲインパターン、及びセル端への見込み角の少なくとも一つを用いて、アンテナチルト角の変更に伴う受信強度の変化量又は最大変化量を推定する
付記２５から付記２８のいずれかに記載の制御方法。【００９１】
（付記３０）
前記推定ステップは、前記無線基地局の制御前のアンテナチルト角及び前記セル端への見込み角を用いて、前記アンテナゲインパターンに基づく前記セル端における制御前のアンテナゲイン量を推定し、前記無線基地局の制御後のアンテナチルト角及び前記セル端への見込み角を用いて、前記アンテナゲインパターンに基づく前記セル端における制御後のアンテナゲイン量を推定し、前記推定した制御前と制御後とのアンテナゲイン量を比較することで、受信強度の最大変化量であるセル端における受信強度の変化量を推定する
付記２９に記載の制御方法。【００９２】
（付記３１）
前記推定ステップは、前記無線基地局のアンテナチルト角を変更した場合の当該セルの信号の受信強度を前記受信強度の最大変化量に基づいて推定し、前記推定した受信強度が所要品質未満となる測定情報と、前記推定した受信強度が前記無線基地局に隣接する隣接無線基地局からの信号の受信強度の中で、最大の受信強度を下回る測定情報を抽出する
付記２９又は付記３０記載の制御方法。【００９３】
（付記３２）
前記制御ステップは、前記無線基地局のアンテナチルト角を変更した場合の前記無線基地局からの信号の受信強度又は抽出した前記隣接無線基地局からの信号の受信強度と前記所要品質とを比較することで前記カバレッジ変化率を算出し、前記算出したカバレッジ変化率が前記所定のカバレッジ変化率未満である場合に前記無線基地局のアンテナチルト角の変更する
付記３１記載の制御方法。【００９４】
（付記３３）
前記制御ステップは、前記無線端末が滞在する無線セルを管理する前記無線基地局とは異なる他の前記無線基地局からの信号の受信強度を算出し、前記算出した受信強度と前記所要品質とを比較する
付記３１又は付記３２記載の制御方法。【００９５】
（付記３４）
前記制御ステップは、前記無線基地局のアンテナ方位角を基準に、所定の水平角度内に存在する無線基地局からの信号の受信強度を算出し、
前記制御ステップは、前記算出した受信強度と前記所要品質とを比較する
付記３１から付記３３のいずれかに記載の制御方法。【００９６】
（付記３５）
前記制御ステップは、
前記無線基地局及び少なくとも１つ以上の前記隣接基地局からの信号の受信強度と、前記アンテナチルト角を変更した場合の前記受信強度の最大変化量とを用いて、アンテナチルト角の制御後に前記隣接基地局に接続を切り替える無線端末数を推定し、
前記無線基地局及び前記隣接基地局の負荷情報に基づいて、アンテナチルト角の制御後の前記無線基地局及び前記隣接基地局の負荷が所定の負荷量未満となる場合に、アンテナチルト角を変更する
付記３１から付記３４のいずれかに記載の制御方法。【００９７】
（付記３６）
前記測定情報は、基準信号の受信電力である基準信号受信電力（ＲＳＲＰ:Ｒｅｆｅｒｅｎｃｅ Ｓｉｇｎａｌ Ｒｅｃｅｉｖｅｄ Ｐｏｗｅｒ）、及び前記基準信号の受信品質である基準信号受信品質（ＲＳＲＱ: Ｒｅｆｅｒｅｎｃｅ Ｓｉｇｎａｌ Ｒｅｃｅｉｖｅｄ Ｑｕａｌｉｔｙ）の少なくともいずれかを含む
付記２５から付記３５のいずれかに記載の制御方法。【００９８】
（付記３７）
無線基地局が管理する無線セルのアンテナパラメータを制御する制御装置のプログラムであって前記プログラムは前記制御装置を、
前記無線基地局と通信可能な無線端末が報告する無線品質又は無線通信状態に関する測定情報に基づいて、前記無線基地局のアンテナチルト角の変更後の前記無線基地局からの信号の受信強度の変化度合いを推定する推定手段と、
前記推定した受信強度の変化度合いに基づいて、前記アンテナチルト角を制御する制御手段と
して機能させるプログラム。【００９９】
この出願は、２０１３年３月４日に出願された日本出願特願２０１３−０４２３６９を基礎とする優先権を主張し、その開示の全てをここに取り込む。
【符号の説明】
【０１００】
１００  外部網
１０１  コア網
１０２  無線アクセス網
１０３  ネットワーク管理装置
１１０〜１１３  有線リンク
１２０〜１２１  無線基地局
１３０〜１３２  無線端末
１４０〜１４１  無線セル  
２００  基地局情報記憶装置
２０１  無線品質統計情報記憶装置
２１０  送受信部
２１１  測定制御部
２１２  受信信号強度推定部
２１３  アンテナパラメータ制御判定部
３００  基地局情報
３０１  基地局ＩＤ
３０２  セルＩＤ
３０３  設置地点
３０４  最大送信電力
３０５  アンテナ構成
３１０  置局情報
３２０  パラメータ情報
４００  測定情報
４０１  Ｒａｎｋ
４０２  ＲＳＲＰ値
４０３  セルＩＤ
４１０  無線端末１の測定情報
４２０  無線端末２の測定情報
５００  アンテナゲインパターン（変更前）
５０１  アンテナゲインパターン（変更後）
５１１  セル端
５１２  アンテナ高
５１３  セル端への見込み角
５２０  信号強度の最大変化量Δ
６００  抽出情報
６０１  Ｓｅｒｖｉｎｇ ＣｅｌｌのＲＳＲＰ値
６０２  Ｓｅｒｖｉｎｇ Ｃｅｌｌ ＩＤ
６０３  Ｎｅｉｇｈｂｏｒ ＣｅｌｌのＲＳＲＰ値
６０４  Ｎｅｉｇｈｂｏｒ Ｃｅｌｌ ＩＤ
６１０  Ｘ、Ａ及びＣが同一基地局に属する場合の抽出情報例
７００  無線セルＸのアンテナチルト角を変更した場合に周辺の無線セルに接続を切り替える無線端末の割合の例
【図１】
2014136739.tif 000004
【図２】
2014136739.tif 000005
【図３】
2014136739.tif 000006
【図４】
2014136739.tif 000007
【図５】
2014136739.tif 000008
【図６】
2014136739.tif 000009
【図７】
2014136739.tif 000010
【図８】
2014136739.tif 000011
【図９】
2014136739.tif 000012
【図１０】
2014136739.tif 000013
【国際調査報告】
2014136739.tif 000014
2014136739.tif 000015